(57)【要約】      （修正有）【課題】  自らが発電した電力を光に変換する発光装置の普及を促進させる。【解決手段】  電力を発電するための発電手段１，２と、該発電手段１，２において発電された電力を光に変換する光変換手段４とを備える発光装置であって、少なくとも一部に蓄光塗料あるいは蛍光塗料が塗布されている。また、発電手段としては風力発電装置１を備え、風車部１１に蓄光塗料や蛍光塗料が塗布されている。さらに、他の発電手段として太陽光発電モジュール２を採用することも可能である。【選択図】          図１
2006329127.tif 000002
【特許請求の範囲】
【請求項１】
電力を発電するための発電手段と、該発電手段において発電された電力を光に変換する光変換手段とを備える発光装置であって、
少なくとも一部に蓄光塗料あるいは蛍光塗料が塗布されていることを特徴とする発光装置。
【請求項２】
前記発電手段として、風力によって回転される風車部と該風車部の回転動力を電力に変換する発電機とを有する風力発電装置を備え、
前記風車部に前記蓄光塗料あるいは蛍光塗料が塗布されていることを特徴とする請求項１記載の発光装置。
【請求項３】
前記光変換手段は表示部であることを特徴とする請求項１または２記載の発光装置。
【請求項４】
前記蛍光塗料が塗布されている場合に、前記光変換手段として、近紫外線を前記蛍光塗料に向けて射出する発光ランプを用いることを特徴とする請求項１または２記載の発光装置。
【請求項５】
前記発電手段として、太陽光発電モジュールを備えること特徴とする請求項１〜４いずれかに記載の発光装置。
【発明の詳細な説明】
【技術分野】
【０００１】
本発明は、発光装置に関するものである。
【背景技術】
【０００２】
近年、自らが備える太陽光発電モジュールや風力発電装置等の発電装置によって発電した電力を光に変換して射出する照明装置が提案されている（特許文献１〜３参照）。
このような照明装置によれば、自らが発電した電力を光に変換しているため、商業用電源等の外部の電源を必要としない独立型の照明装置として利用することができる。また、このような照明装置においては、クリーンな自然エネルギーを利用して発電を行うため、環境に優しい未来型の照明装置として期待が寄せられている。
【特許文献１】特開２００３−３４６５２１号公報
【特許文献２】特開平８−１３８４２２号公報
【特許文献３】特開２００３−４２０５２号公報
【発明の開示】
【発明が解決しようとする課題】
【０００３】
しかしながら、周知のように、現状においては太陽光や風を利用した発電では大きな電力を得ることが難しい。このため、照明装置として十分な輝度の発光を長時間行うことが困難な状況にある。
今後、技術の進歩によって、太陽光や風を利用した発電の発電効率は向上するであろうが、現状においては上述のような状況が、独立型の照明装置の普及を妨げていることは否めない。
また、太陽光発電モジュールや風力発電装置等のクリーンな自然エネルギーを利用して発電された電力によって生み出された光を照明光以外の光に用いるような提案がなされておらず、このような状況も独立型の照明装置の普及を妨げている。
【０００４】
本発明は、上述する問題点に鑑みてなされたもので、自らが発電した電力を光に変換する発光装置の普及を促進させることを目的とする。
【課題を解決するための手段】
【０００５】
上記目的を達成するために、本発明の発光装置では、第１の手段として、電力を発電するための発電手段と、該発電手段において発電された電力を光に変換する光変換手段とを備える発光装置であって、少なくとも一部に蓄光塗料あるいは蛍光塗料が塗布されているという構成を採用する。
このような構成を採用する本発明の発光装置によれば、少なくとも一部に蓄光塗料あるいは蛍光塗料が塗布される。このような蓄光塗料あるいは蛍光塗料は、人間の眼に対して目立つため、発電手段の発電量が少ない場合であっても、人間の注意を喚起することができる。
【０００６】
また、第２の手段として、上記第１の手段において、上記発電手段として、風力によって回転される風車部と該風車部の回転動力を電力に変換する発電機とを有する風力発電装置を備え、上記風車部に上記蓄光塗料あるいは蛍光塗料が塗布されているという構成を採用する。
このような構成を採用することによって、蓄光塗料あるいは蛍光塗料が動体である風車部に塗布される。このため、人間の眼に対してより目立つため、人間の注意をより喚起することが可能となる。
【０００７】
また、第３の手段として、上記第１または第２の手段において、上記光変換手段は表示部であるという構成を採用する。
このような構成を採用することによって、電力を変換することによって生成された光を照明光でなく、表示するための表示光として用いることができる。
【０００８】
第４の手段として、上記第１または第２の手段において、上記蛍光塗料が塗布されている場合に、上記光変換手段として、近紫外線を上記蛍光塗料に向けて射出する発光ランプを用いるという構成を採用する。
このような構成を採用することによって、電力が近紫外線に変換され、この近紫外線が蛍光塗料に向けて射出される。蛍光塗料は、紫外線を照射されることによって、鮮やかな色彩を発するため、人間の注意をより喚起することが可能となる。
【０００９】
第５の手段として、上記第１〜第４いずれかの手段において、上記発電手段として、太陽光発電モジュールを備えるという構成を採用する。
このような構成を採用することによって、太陽光発電モジュールにおいて発電された電力を利用することが可能となる。
【発明の効果】
【００１０】
本発明の発光装置によれば、人間の眼に対して目立つ蓄光塗料あるいは蛍光塗料が塗布されているため、発電手段の発電量が少ない場合であっても、人間の注意を喚起することができる。よって、独立型の発光装置を例えば照明装置以外に利用することが可能となり、自らが発電した電力を光に変換する発光装置の普及を促進させることが可能となる。
【発明を実施するための最良の形態】
【００１１】
以下、図面を参照して、本発明に係る発光装置の一実施形態について説明する。
【００１２】
（第１実施形態）
図１は、本実施形態の発光装置Ｓ１の構成を模式的に示した概略構成図である。また、図２は、本実施形態の発光装置Ｓ１の機能構成を示したブロック図である。これらの図に示すように、本実施形態の発光装置Ｓ１は、風力発電装置１（発電手段）、太陽光発電モジュール２（発電手段）、バッテリ３及び表示部４（光変換手段）とを備えて構成されている。
【００１３】
風力発電装置１は、風力を利用して発電した電力をバッテリ３に供給するものであり、地面に対して垂直に立てられた支持ポール５の上部に配置されている。そして、風力発電装置１は、風力によって回転さえるプロペラ部１１（風車部）と、このプロペラ部１１の回転動力を電力に変換する発電機１２とを備えて構成されている。なお、発電機１２は、図２においてのみ示されているが、図１においては、風力発電装置１の本体１３の内部に収納配置されている。
【００１４】
そして、本実施形態の発光装置Ｓ１においては、風力発電装置１のプロペラ部１１に蓄光塗料が塗布されている。この蓄光塗料は、受光することによって受け取ったエネルギーを光として放出する蓄光体が含有された塗料である。なお、具体的には、蓄光体としては、硫化亜鉛に銅を結合させた物質やアルミン酸ストロンチウムに他の金属を結合させたもの等を挙げることができる。
【００１５】
太陽光発電モジュール２は、太陽光を利用して発電した電力をバッテリ３に供給するものであり、支持ポール５の途中部位に接続された固定部５１に固定されている。
バッテリ３は、風力発電装置１及び太陽光発電モジュール２から供給される電力を蓄えるとともに、表示部４に対して蓄えた電力を供給するものである。そして、バッテリ３は、本実施形態の発光装置Ｓ１においては、支持ポール５の下部に接続配置されている。
【００１６】
表示部４は、バッテリ３から供給される電力を用いて表示を行うものであり、支持ポール５の途中部位に接続された固定部５２に固定されている。この表示部４としては、電光掲示板のように、バッテリ３から供給される電力を用いて直接文字や記号を表示するものを用いることもできるし、また、バッテリ３から供給される電力を用いて予め記載された文字や図形を照らすものを用いることもできる。
【００１７】
このような構成を有する本実施形態の発光装置Ｓ１においては、風力が風力発電装置１のプロペラ部１１を動かすことによって風力発電装置１によって発電が行われ、太陽光が注がれることによって太陽光発電モジュール２において発電が行われ、これらの風力発電装置１及び太陽光発電モジュール２において発電された電力がバッテリ３に供給されることによって一時的に蓄えられる。そして、このバッテリ３に蓄えられた電力が表示部４に供給されることによって、表示部４において表示が行われる。
【００１８】
ここで、本実施形態の発光装置Ｓ１においては、風力発電装置１のプロペラ部１１に蓄光塗料が塗布されている。このため、昼間等に蓄光塗料に光が注がれていれば、夕刻や夜間に蓄光塗料が発光し、風力発電装置１及び太陽光発電モジュール２において発電された電力を使用することなく、人間に対して注意を喚起することができる。したがって、例えば、表示部４に警告を表示し、本実施形態の発光装置Ｓ１を高速道路のカーブ等に設置することによって、ドライバーに対してカーブの存在を伝達する警告表示装置として本実施形態の発光装置Ｓ１を利用することが可能となる。また、例えば、表示部４に広告を表示し、本実施形態の発光装置Ｓ１を街中に配置することによって、優れた広告表示装置として本実施形態の発光装置Ｓ１を利用することが可能となる。
【００１９】
このように、本実施形態の発光装置Ｓ１によれば、様々な分野において、外部の電源を必要としない独立型の発光装置Ｓ１を利用することが可能となるため、独立型の発光装置Ｓ１の普及させることが可能となる。
【００２０】
また、本実施形態の発光装置Ｓ１においては、蓄光塗料が動体であるプロペラ部１１に塗布されている。このため、結果として発光体が動くこととなり、人間に対して注意をより喚起することが可能となる。
【００２１】
なお、本実施形態においては、蓄光塗料を塗布したが、本発明はこれに限定されるものではなく、蓄光塗料の代わりに蛍光塗料を塗布することも可能である。なお、蛍光塗料とは、蓄光性はないものの、光が照射された場合に鮮やかな色彩を発するものである。よって、蛍光塗料を塗布した場合でも、電力を消費することなく、発光装置Ｓ１を目立たせることが可能となる。
【００２２】
（第２実施形態）
次に、本発明の第２実施形態について説明する。なお、本第２実施形態の説明において、上記第１実施形態と同様の部分については、その説明を省略あるいは簡略化する。
【００２３】
図３は、本実施形態の発光装置Ｓ２の構成を模式的に示した概略構成図である。また、図４は、本実施形態の発光装置Ｓ２の機能構成を示したブロック図である。これらの図に示すように、本実施形態の発光装置Ｓ２は、上記第１実施形態の発光装置Ｓ１が備える表示部４の代わりに、近紫外線をプロペラ部１１に向けて射出する発光ランプ６（光変換手段）を備えている。そして、風力発電装置１及び太陽光発電モジュール２において発電された電力が発光ランプ６において近紫外線に変換される。
また、本実施形態の発光装置Ｓ２においては、プロペラ部１１に蛍光塗料が塗布されている。
【００２４】
蛍光塗料は紫外線を照射されることによって、特に薄暗い中において鮮やかな色彩を発するため、上述のように発光ランプ６からプロペラ部１１に近紫外線を照射することによって、プロペラ部１１が鮮やかな色彩を発し、人間の注意をより喚起することが可能となる。したがって、本実施形態の発光装置Ｓ２においても、上記第１実施形態の発光装置Ｓ１同様、電力を消費することなく、目立つことができる。このため、様々な分野において、外部の電源を必要としない独立型の発光装置Ｓ２を利用することが可能となり、独立型の発光装置Ｓ２の普及させることが可能となる。
【００２５】
以上、添付図面を参照しながら本発明に係る発光装置の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００２６】
例えば、上記実施形態においては、風力によって回転される風車部としてプロペラ部１１を備える風力発電装置１が設置されている構成を採用した。しかしながら、本発明は、これに限定されるものではなく、風車部として直線翼垂直軸型風車やサボニウス風車等を備える風力発電装置が設置されている構成を採用することも可能である。
【００２７】
また、上記実施形態においては、より目立つようにするために、動体であるプロペラ部１１に蓄光塗料あるいは蛍光塗料を塗布した。しかしながら、本発明は、必ずしもこれに限定されるものではなく、その他の部位に蓄光塗料あるいは蛍光塗料を塗布することも可能である。
【００２８】
また、上記実施形態においては、本発明の発電手段として、風力発電装置及び太陽光発電モジュールの両者を備える構成とした。しかしながら、本発明は、これに限定されるものではなく、例えば、風力発電装置のみを備える構成としても良い。
【００２９】
また、上記実施形態の発光装置が備える表示部あるいは発光ランプの代わりに、ＬＥＤや蛍光灯等の照明装置を設置することもできる。このような場合であっても、蓄光塗料あるいは蛍光塗料が塗布されていることによって、本発明の発光装置を目立つ照明装置として利用することが可能となる。
【図面の簡単な説明】
【００３０】
【図１】本発明の第１実施形態である発光装置の構成を模式的に示した概略構成図である。
【図２】本発明の第１実施形態である発光装置の機能構成を示したブロック図である。
【図３】本発明の第２実施形態である発光装置の構成を模式的に示した概略構成図である。
【図４】本発明の第２実施形態である発光装置の機能構成を示したブロック図である。
【符号の説明】
【００３１】
Ｓ１，Ｓ２……発光装置
１……風力発電装置（発電手段）
１１……プロペラ部（風車部）
１２……発電機
２……太陽光発電モジュール（発電手段）
３……バッテリ
４……表示部（光変換手段）
５……支持ポール
６……発光ランプ（光変換手段）
【図１】
2006329127.tif 000003
【図２】
2006329127.tif 000004
【図３】
2006329127.tif 000005
【図４】
2006329127.tif 000006